(57)【要約】【課題】カバン等に入れて持ち歩いても容易に変形や破損を生ずることのないメモ用具を提供する。【解決手段】メモ帳１０を収納するケース２０をカセットテープ用のプラスチックケースによって形成したので、ケース２０によってメモ帳１０を保護することができ、例えば持ち運ぶ際にカバン内に収納された他の物品との干渉や外部からの衝撃または圧力によるメモ帳１０の変形や破損を防止することができる。また、メモ帳１０はカセットテープと同等の大きさ及び外観を有するので、一見すると実物のカセットテープのように見えても実際はメモ帳であるといった意外性及びユニークさを視覚的効果として得ることができる。【選択図】図１
0003218219.tif 000002
【実用新案登録請求の範囲】
【請求項１】
メモを書き込むためのメモ帳と、メモ帳を出し入れ可能に収納するケースとを備えたメモ用具であって、
前記メモ帳はカセットテープと同等の大きさ及び外観を有し、
前記ケースはカセットテープ用のケースからなる
ことを特徴とするメモ用具。
【請求項２】
前記メモ帳にカセットテープのリールの孔に対応する貫通孔を設けた
ことを特徴とする請求項１記載のメモ用具。
【請求項３】
前記ケース内に配置され、メモ帳の書き込み内容と関連する項目を記入するためのインデックスカードを備えた
ことを特徴とする請求項１または２記載のメモ用具。
【請求項４】
前記ケース内に筆記具を収納可能なスペースを設けた
ことを特徴とする請求項１、２または３記載のメモ用具。
【考案の詳細な説明】
【技術分野】
【０００１】
本考案は、メモを書き込むためのメモ帳を備えたメモ用具に関するものである。
【背景技術】
【０００２】
従来、この種のメモ用具としては、表表紙と裏表紙との間に帳面が綴じられ、帳面の任意のページに筆記具でメモを書き込むようにしたメモ帳が知られている（例えば、特許文献１参照）。
【先行技術文献】
【特許文献】
【０００３】
【特許文献１】特開２０１５−９３４８５号公報
【考案の概要】
【考案が解決しようとする課題】
【０００４】
前記メモ帳は、カバン等に入れて持ち歩く場合が多いため、表表紙と裏表紙を帳面よりも厚手の紙で形成して強度を高めたり、或いはカバーで覆うことによりメモ帳本体を保護するようにしている。しかしながら、カバン内に収納された他の物品との干渉や外部からの衝撃または圧力によりメモ帳の変形や破損を生ずる場合があり、厚手の表紙やカバーでは十分な耐久性が得られいという問題点があった。
【０００５】
本考案は前記問題点に鑑みてなされたものであり、その目的とするところは、カバン等に入れて持ち歩いても容易に変形や破損を生ずることのないメモ用具を提供することにある。
【課題を解決するための手段】
【０００６】
本考案のメモ用具は、前記目的を達成するために、メモを書き込むためのメモ帳と、メモ帳を出し入れ可能に収納するケースとを備え、前記メモ帳をカセットテープと同等の大きさ及び外観を有するように形成し、前記ケースをカセットテープ用のケースによって形成している。
【０００７】
これにより、カセットテープ用のケースにメモ帳が収納されることから、ケースによってメモ帳が保護される。また、メモ帳はカセットテープと同等の大きさ及び外観を有することから、一見すると実物のカセットテープのように見えても実際はメモ帳であるといった視覚的効果が得られる。
【考案の効果】
【０００８】
本考案によれば、ケースによってメモ帳を保護することができるので、例えば持ち運ぶ際にカバン内に収納された他の物品との干渉や外部からの衝撃または圧力によるメモ帳の変形や破損を防止することができる。この場合、ケースに既製品のカセットテープケースを用いることができるので、低コストに構成することができるとともに、ケースが損傷した場合でも新たなカセットテープケースに容易に交換することができる。また、一見すると実物のカセットテープのように見えても実際はメモ帳であるといった意外性及びユニークさを視覚的効果として得ることができるので、例えば実物のカセットテープと一緒に保管したり、或いは音楽テープの販促品として用いるなど、カセットテープの見た目を有するメモ用具として多様な使い方ができる。
【図面の簡単な説明】
【０００９】
【図１】本考案の第１の一実施形態を示すメモ用具の斜視図
【図２】メモ帳の斜視図
【図３】表紙部の展開図
【図４】開いた状態を示す帳面の正面図
【図５】開いた状態を示すメモ帳の斜視図
【図６】ケースの斜視図
【図７】メモ用具の分解斜視図
【図８】本考案の第２の一実施形態を示すインデックスカードの展開図
【図９】メモ用具の分解斜視図
【図１０】本考案の変形例を示すメモ用具の平面断面図
【考案を実施するための形態】
【００１０】
図１乃至図７は本考案の一実施形態を示すもので、メモ書き用のメモ用具を示すものである。
【００１１】
このメモ用具は、メモを書き込むためのメモ帳１０と、メモ帳１０を出し入れ可能に収納するケース２０とを備え、メモ帳１０はカセットテープと同等の大きさ及び外観を有するように形成されている。
【００１２】
メモ帳１０は、実物のカセットテープと同等の図柄が表示された表紙１１と、メモを書き込むための帳面１２とからなる。表紙１１は、メモ帳１０の一方の面側に配置される第１の表紙部１１ａと、メモ帳１０の他方の面側に配置される第２の表紙部１１ｂと、第１の表紙部１１ｂと第２の表紙部１１ｂとの間に配置される背表紙部１１ｃからなり、第１の表紙部１１ａにはカセットテープの一方の面（Ａ面）と同等の図柄がＡ面を示す「Ａ」の文字と共に表示され、第２の表紙部１１ｂにはカセットテープの他方の面（Ｂ面）と同等の図柄がＢ面を示す「Ｂ」の文字と共に表示されている。帳面１２は、図４に示すように無地または罫線を有する紙葉からなり、幅方向の一端を背表紙部１１ｃに固着されている。帳面１２にはページ番号が表示され、第１の表紙部１１ａ側（Ａ面側）から帳面１２の半分までは第１の表紙部１１ａ側からページ番号（１，２，…）が始まり、第２の表紙部１１ｂ側（Ｂ面側）から帳面１２の半分までは第２の表紙部１１ｂ側からページ番号（１，２，…）が始まるようになっている。また、メモ帳１０には、表紙１１に描かれたカセットテープの図柄におけるリールの孔に対応する二つの円形の貫通孔１３が設けられている。
【００１３】
ケース２０は、カセットテープ用の透明なプラスチックケースからなり、互いに回動自在に連結された第１のケース部２１及び第２のケース部２２から構成されている。
【００１４】
第１のケース部２１は、ケース２０の前面を形成する前面部２１ａと、ケース２０の両側面を形成する左右の側面部２１ｂと、ケース２０の下面の一部（前側）を形成する下面部２１ｃとからなる。また、下面部２１ｃの内側の面には左右一対の突起部２１ｄが互いに幅方向に間隔をおいて設けられている。各突起部２１ｄはカセットテープのリールに係合してテープの弛みを防止するためのものであるが、本実施形態ではメモ帳１０の各貫通孔１３が係合するようになっている。
【００１５】
第２のケース部２２は、ケース２０の上面を形成する上面部２２ａと、ケース２０の背面を形成する背面部２２ｂと、ケース２０の下面の他の部分（後側）を形成する下面部２２ｃと、上面部２２ａと下面部２２ｃとの間に形成された左右の側面部２２ｄとからなり、第１のケース部２１の各側面部２１ｂと第２のケース部２２の各側面部２２ｄが互いに回動支点部２３を介して回動自在に連結されている。
【００１６】
以上のように構成されたメモ用具においては、図７示すように、ケース２０の第２のケース部２２を開き、第２のケース部２２の上面部２２ａ、背面部２２ｂ、下面部２２ｃ及び各側面部２２ｄで囲まれた部分にメモ帳１０を挿入し、第２のケース部２２を閉じることにより、図１に示すようにケース２０内にメモ帳１０が収納される。その際、メモ帳１０の各貫通孔１３にはケース２０の各突起部２１ｄが係合する。また、メモ帳１０を使用する際は、ケース２０を開いてメモ帳１０を取り出し、図４に示すようにメモ帳１０を開いて帳面１２に書き込みを行う。
【００１７】
このように、本実施形態のメモ用具によれば、メモを書き込むためのメモ帳１０と、メモ帳１０を収納するケース２０とを備え、ケース２０をカセットテープ用のプラスチックケースによって形成したので、ケース２０によってメモ帳１０を保護することができ、例えば持ち運ぶ際にカバン内に収納された他の物品との干渉や外部からの衝撃または圧力によるメモ帳１０の変形や破損を防止することができる。この場合、ケース２０に既製品のカセットテープケースを用いることができるので、低コストに構成することができるとともに、ケース２０が損傷した場合でも新たなカセットテープケースに容易に交換することができる。
【００１８】
また、メモ帳１０はカセットテープと同等の大きさ及び外観を有するので、一見すると実物のカセットテープのように見えても実際はメモ帳であるといった意外性及びユニークさを視覚的効果として得ることができる。これにより、例えばカセットテープと一緒に保管したり、或いは音楽テープの販促品として用いるなど、カセットテープの見た目を有するメモ用具として多様な使い方ができる。
【００１９】
更に、ケース２０には、カセットテープのリールに係合してテープの弛みを防止するための各突起部２１ｄが設けられているが、メモ帳１０にはカセットテープのリールの孔に対応する貫通孔１３が設けられているので、このような突起部を有する既製品のカセットテープケースをケース２０に用いる場合でも支障なくメモ帳１０を収納することができる。また、例えば各貫通孔１３にループ状の鍵を挿通して施錠すれば、メモ帳１０を勝手に見られないようにすることができる。更に、各貫通孔１３を挿通可能な棒を有するスタンドを用い、スタンドの棒に各貫通孔１３を挿通してメモ帳１０をスタンドに保持するようにすれば、メモ帳１０の保管を容易に行うことができる。
【００２０】
図８及び図９は本考案の第２の実施形態を示すもので、メモ帳１０の書き込み内容と関連する項目を記入するためのインデックスカード３０を備えたものである。
【００２１】
本実施形態のインデックスカード３０は、ケース２０の第２のケース部２２の内面側に配置され、第２のケース部２２の上面部２２ａ、背面部２２ｂ及び下面部２２ｃに沿って折り曲げられた紙製のカードによって形成されている。インデックスカード３０は、上面部２２ａに対応する部分の表側の面に、メモ帳１０の書き込み内容と関連する項目を記入可能な記入欄３１が設けられ、記入欄３１には、任意の見出し、日付、ページ等を記入するための罫線や所定の文字が表示されている。この場合、記入欄３１は、Ａ面側（第１の表紙部１１ａ側）とＢ面側（第２の表紙部１１ｂ側）に分けて設けられている。
【００２２】
本実施形態では、インデックスカード３０にメモ帳１０の書き込み内容と関連する項目を記入することにより、インデックスカード３０をメモ帳１０の目次として利用することができ、メモ帳１０の使い勝手をより向上させることができる。この場合、インデックスカード３０がカセットテープに用いられる楽曲記入用のインデックスカードと同様に形成されているので、実物のケース入りカセットテープと見た目がほとんど変わらず、意外性及びユニークさによる視覚的効果をより高めることができる。
【００２３】
尚、前記実施形態では、実物のカセットテープと同等の大きさを有するメモ帳１０をケース２０に収納したものを示したが、図１０に示すようにメモ帳１０をやや小さめに形成し、ケース２０内に鉛筆等の筆記具４０を収納可能なスペース２０ａを形成するようにすれば、メモ帳１０のみならず筆記具４０もケース２０内に収納して持ち歩くことができる。
【符号の説明】
【００２４】
１０…メモ帳、１３…貫通孔、２０…ケース、２０ａ…スペース、２１ｄ…突起部、３０…インデックスカード、４０…筆記用具。
【図１】
0003218219.tif 000003
【図２】
0003218219.tif 000004
【図３】
0003218219.tif 000005
【図４】
0003218219.tif 000006
【図５】
0003218219.tif 000007
【図６】
0003218219.tif 000008
【図７】
0003218219.tif 000009
【図８】
0003218219.tif 000010
【図９】
0003218219.tif 000011
【図１０】
0003218219.tif 000012